(57)【要約】    【課題】軟弱地盤の改良に伴う改良地盤周辺部の沈下を効果的に抑制できる軟弱地盤の改良工法を提供すること。【解決手段】改良地盤周辺部の地盤Ｂ内に鉛直ドレーン材１０１を打設して鉛直供給路を造成し、この鉛直供給路内に止水材１０２を含む水を投入して前記鉛直供給路を通して改良地盤周辺部の地盤Ｂ内に止水材１０２を含む水を供給するようにしたので、前記鉛直供給路内に投入された止水材１０２が、鉛直供給路周辺に水流に従って拡散し止水ゾーン１０７を形成する。  止水材１０２により形成された止水ゾーン１０７は改良地盤周辺部の地盤Ｂ内の地下水の移動を阻害し、改良地盤Ａの地下水の強制排水に伴う改良地盤周辺部の地盤Ｂ内の地下水の低下を抑えることができ、軟弱地盤の改良に伴う改良地盤周辺部の地盤Ｂの沈下を効果的に抑制できる。  【選択図】図２【特許請求の範囲】
【請求項１】
改良する軟弱地盤（以下、改良地盤という）内に真空圧を利用して改良地盤周辺部と隔離された減圧領域を造り出し、前記改良地盤中の間隙水を排水することで、前記改良地盤を硬質地盤へと改良する軟弱地盤の改良工法において、
前記改良地盤及び又は改良地盤周辺部の地盤内に鉛直供給路を造成し、この鉛直供給路内に止水材を含む水を投入して前記鉛直供給路を通して改良地盤及び又は改良地盤周辺部の地盤内に止水材を含む水を供給することを特徴とする軟弱地盤の改良工法。
【請求項２】
止水材を含む水が親水性ゲル懸濁液であることを特徴とする請求項１記載の軟弱地盤の改良工法。
【請求項３】
親水性ゲルが多糖類塩からなることを特徴とする請求項２記載の軟弱地盤の改良工法。
【請求項４】
多糖類塩がＣＭＣまたはアルギン酸ナトリウムを主成分とする塩類であることを特徴とする請求項３記載の軟弱地盤の改良工法。
【請求項５】
止水材が大鋸屑、木粉、籾殻、穀物粉、穀物の糠類や殻類、澱粉、粘土、セメント及び高吸水性ポリマーの中から選ばれる１種若しくは２種以上であることを特徴とする請求項１記載の軟弱地盤の改良工法。
【請求項６】
止水材を含む水中に微生物の栄養成分を添加したことを特徴とする請求項５記載の軟弱地盤の改良工法。
【請求項７】
止水材が大鋸屑、木粉、籾殻、穀物粉、穀物の糠類や殻類、澱粉、粘土、セメント及び高吸水性ポリマーの中から選ばれる１種若しくは２種以上に微生物を混ぜ込んだ混合物であることを特徴とする請求項１記載の軟弱地盤の改良工法。
【請求項８】
止水材を含む水を貯留する止水材タンクから供給パイプを介して鉛直供給路内に前記止水材を含む水を供給することを特徴とする請求項１記載の軟弱地盤の改良工法。
【請求項９】
鉛直供給路内にフロート式逆止弁を配し、止水材タンクから供給パイプを介して供給された止水材を含む水の供給過剰に伴って、鉛直供給路内への止水材を含む水の供給を遮断するようにしたことを特徴とする請求項８記載の軟弱地盤の改良工法。
【請求項１０】
改良地盤及び又は改良地盤周辺部の地盤内に、表面が止水材が透過可能な目合いのフィルター層により構成されている鉛直ドレーン材を打設して鉛直供給路を造成することを特徴とする請求項１記載の軟弱地盤の改良工法。
【請求項１１】
改良地盤及び又は改良地盤周辺部の地盤内に、止水材が透過可能な多数の孔を有するパイプを深さ方向に配管して鉛直供給路を造成することを特徴とする請求項１記載の軟弱地盤の改良工法。
【請求項１２】
止水材を含む水が改良地盤からの間隙水であることを特徴とする請求項１記載の軟弱地盤の改良工法。
【請求項１３】
鉛直供給路上端部に改良地盤からの間隙水の排水経路と繋がる溝又は配管を接続することを特徴とする請求項１２記載の軟弱地盤の改良工法。
【請求項１４】
鉛直ドレーン材又はパイプの上端部分周りに礫または粗目砂からなる層を設け、この礫または粗目砂からなる層中に止水材を含む水を投入することを特徴とする請求項１２または１３に記載の軟弱地盤の改良工法。
【請求項１５】
改良地盤内に真空圧を利用して改良地盤周辺部と隔離された減圧領域を造り出し、前記改良地盤中の間隙水を排水することで、前記改良地盤を硬質地盤へと改良する軟弱地盤の改良工法において、
前記改良地盤周辺部の地盤内に鉛直供給路を造成し、この鉛直供給路内に止水材を含む水を投入する一方で、前記鉛直供給路と改良地盤との間及び又は前記鉛直供給路の外側に鉛直排水路を造成し、この鉛直排水路を通して前記改良地盤周辺部の地盤内の水を排水することを特徴とする軟弱地盤の改良工法。
【請求項１６】
改良地盤周辺部の地盤内に鉛直供給路を破線状に造成することを特徴とする請求項１５記載の軟弱地盤の改良工法。
【請求項１７】
鉛直供給路と改良地盤との間に鉛直排水路を破線状に造成することを特徴とする請求項１５記載の軟弱地盤の改良工法。
【請求項１８】
止水材を含む水が親水性ゲル懸濁液であることを特徴とする請求項１５記載の軟弱地盤の改良工法。
【請求項１９】
親水性ゲルが多糖類塩からなることを特徴とする請求項１８記載の軟弱地盤の改良工法。
【請求項２０】
多糖類塩がＣＭＣまたはアルギン酸ナトリウムを主成分とする塩類であることを特徴とする請求項１９記載の軟弱地盤の改良工法。
【請求項２１】
止水材が大鋸屑、木粉、籾殻、穀物粉、穀物の糠類や殻類、澱粉、粘土、セメント及び高吸水性ポリマーの中から選ばれる１種若しくは２種以上であることを特徴とする請求項１５記載の軟弱地盤の改良工法。
【請求項２２】
止水材を含む水中に微生物の栄養成分を添加したことを特徴とする請求項２１記載の軟弱地盤の改良工法。
【請求項２３】
止水材が大鋸屑、木粉、籾殻、穀物粉、穀物の糠類や殻類、澱粉、粘土、セメント及び高吸水性ポリマーの中から選ばれる１種若しくは２種以上に微生物を混ぜ込んだ混合物であることを特徴とする請求項１５記載の軟弱地盤の改良工法。
【請求項２４】
止水材を含む水を貯留する止水材タンクから供給パイプを介して鉛直供給路内に前記止水材を含む水を供給することを特徴とする請求項１５記載の軟弱地盤の改良工法。
【請求項２５】
鉛直供給路内にフロート式逆止弁を配し、止水材タンクから供給パイプを介して供給された止水材を含む水の供給過剰に伴って、鉛直供給路内への止水材を含む水の供給を遮断するようにしたことを特徴とする請求項２４記載の軟弱地盤の改良工法。
【請求項２６】
表面が止水材が透過可能な目合いのフィルター層により構成されている鉛直ドレーン材を打設して鉛直供給路を造成することを特徴とする請求項１５記載の軟弱地盤の改良工法。
【請求項２７】
表面が止水材が透過不能若しくは困難な目合いのフィルター層により構成されている鉛直ドレーン材を打設して鉛直排水路を造成することを特徴とする請求項１５記載の軟弱地盤の改良工法。
【請求項２８】
止水材を含む水が改良地盤からの間隙水であることを特徴とする請求項１５記載の軟弱地盤の改良工法。
【請求項２９】
鉛直供給路上端部に改良地盤からの間隙水の排水経路と繋がる溝又は配管を接続することを特徴とする請求項２８記載の軟弱地盤の改良工法。
【請求項３０】
鉛直ドレーン材上端部分周りに礫または粗目砂からなる層を設け、この礫または粗目砂からなる層中に止水材を含む水を投入することを特徴とする請求項２８または２９に記載の軟弱地盤の改良工法。
【発明の詳細な説明】
【技術分野】
【０００１】
本発明は、例えば湖沼周囲の埋立造成区域などの軟弱地盤に好適な軟弱地盤の改良工法に関する。詳細には軟弱地盤の改良に伴う改良地盤周辺部の地下水の低下を効果的に抑制できる軟弱地盤の改良工法に関する。
【背景技術】
【０００２】
従来、軟弱地盤の改良工法としては、改良する軟弱地盤（以下改良地盤という）上面を気密シートで被覆して前記改良地盤中に真空圧を負荷して、前記改良地盤中に改良地盤周辺部と隔離された減圧領域を造り出すと共に、軟弱地盤上に盛土を施して盛土の圧密載荷重を負荷することで、軟弱地盤を硬質地盤へと改良するようにしたものがある。【０００３】
具体的には、図１７に示すように、改良地盤Ａ中に所定の間隔をおいて鉛直ドレーン材１を打設し、次いで、この各鉛直ドレーン材１の上端部１ａに接触するように水平ドレーン２を配置し、次いで、この水平ドレーン材２に真空タンク４を介して真空ポンプ５に繋がる集水管３を接続し、さらに改良地盤Ａ上面を前記鉛直ドレーン材１の上端部１ａ、水平ドレーン材２及び集水管３とともに気密シート７で被覆する。この後、前記集水管３に真空タンク４を介して接続する真空ポンプ５を稼働させるのである。【０００４】
これにより、真空ポンプ５からの真空圧は、水平ドレーン材２および鉛直ドレーン材１を介して改良地盤Ａへと伝播し、鉛直ドレーン材１を中心にその周囲の地盤を減圧状態の領域（以下減圧領域という）とする。【０００５】
真空圧は、減圧領域となった鉛直ドレーン材１周りの地盤から、さらに外側周りの地盤へと伝播してゆき、この結果、鉛直ドレーン材１へと向かう地盤加圧（水圧、土圧）が発生する。【０００６】
この地盤加圧に従って、鉛直ドレーン材１周囲の地盤に含まれる間隙水は鉛直ドレーン材１に向かって吸い出され、鉛直ドレーン材１、水平ドレーン材２及び集水管３を排水経路として排水され、これに伴って鉛直ドレーン材１周囲の地盤のさらに外側周りの地盤も減圧領域となる。【０００７】
こうして、鉛直ドレーン材１を中心にしてその周囲の地盤に減圧領域が広がり、やがて改良地盤Ａ全域が減圧領域となり、同時に鉛直ドレーン材１を中心にして圧密、強度増加が進行し、改良地盤Ａ全域の圧密、強度増加が行われることになる。【０００８】
以上の如くして、硬質地盤へと改良がなされる一方で、気密シート７上に盛土６を施すことにより、該盛土６の圧密載荷重によって改良地盤Ａの圧密脱水を行い、前述の圧力差による吸い出しと共働して、改良地盤Ａの圧密沈下が促進されるのである（特許文献１参照）。
【特許文献１】特許第３２７０９６８号掲載公報（請求項１および２、図７参照）
【発明の開示】
【発明が解決しようとする課題】
【０００９】
ところが、上述の強制圧密脱水工法では真空圧により改良地盤の地下水を強制排水しているが、改良地盤と改良地盤周辺部とを跨るように透水性の高い砂層や有機土層が地盤内に存在している場合には、図１７中矢印で示すように、改良地盤周辺部Ｂの地下水も強制排水されるため改良地盤周辺部の地下水も低下し、この影響により軟弱な周辺地盤も自重圧密が促進されて沈下等が誘発される。【００１０】
地下水の排水を原因とする沈下の場合、その影響範囲が時間とともに拡大し、地盤改良の品質保持のため、十分な圧密時間を必要とする強制圧密脱水工法にあっては逆作用となるので、改良地盤外にする影響を出来るだけ少なくする対策が必要とされる。【００１１】
本発明は、このような技術的課題に鑑みなされたものであり、軟弱地盤の改良に伴う改良地盤周辺部の地下水の低下を効果的に抑制できる軟弱地盤の改良工法を提供することを目的とするものである。
【課題を解決するための手段】
【００１２】
上記目的を達成するため、請求項１〜１４記載の発明は、改良地盤内に真空圧を利用して改良地盤周辺部と隔離された減圧領域を造り出し、前記改良地盤中の間隙水を排水することで、前記改良地盤を硬質地盤へと改良する軟弱地盤の改良工法（以下単に改良工法という）において、
前記改良地盤及び又は改良地盤周辺部の地盤内に鉛直供給路を造成し、この鉛直供給路内に止水材を含む水を投入して前記鉛直供給路を通して改良地盤及び又は改良地盤周辺部の地盤内に止水材を含む水を供給することを特徴とする改良工法をその要旨とした。【００１３】
請求項１５〜３０記載の発明は、改良工法において、改良地盤周辺部の地盤内に鉛直供給路を造成し、この鉛直供給路内に水と共に止水材を投入する一方で、前記鉛直供給路と改良地盤との間及び又は前記鉛直供給路の外側に鉛直排水路を造成し、この鉛直排水路を通して前記改良地盤周辺部の地盤内の水を排水することを特徴とする改良工法をその要旨とした。
【発明の効果】
【００１４】
請求項１〜１４記載の改良工法にあっては、改良地盤及び又は改良地盤周辺部の地盤内に鉛直供給路を造成し、この鉛直供給路を通して改良地盤及び又は改良地盤周辺部の地盤内に止水材を含む水を供給するようにしたので、前記鉛直供給路内に投入された止水材が、鉛直供給路周辺に水流に従って拡散し、止水ゾーンを形成する。【００１５】
止水材により形成された止水ゾーンは改良地盤及び又は改良地盤周辺部の地盤内の地下水の移動を阻害し、改良地盤の地下水の強制排水に伴う改良地盤周辺部の地盤内の地下水の低下を抑えることができ、地盤改良に伴う改良地盤周辺部の地盤沈下を効果的に抑制できるとの効果を奏するようになる。【００１６】
請求項１５〜３０記載の改良工法にあっては、周辺地盤内に造成された鉛直供給路内に水と共に止水材を投入する一方で、前記鉛直供給路と改良地盤との間及び又は前記鉛直供給路の外側に鉛直排水路を造成し、この鉛直排水路を通して前記改良地盤周辺部の地盤内の水を排水するようにしたので、鉛直供給路内に投入された止水材が、鉛直供給路から鉛直排水路に至る水流に従って拡散し、改良地盤周辺部の地盤内に止水ゾーンを形成する。【００１７】
止水材により形成された止水ゾーンは、改良地盤周辺部の地盤内の地下水の移動を阻害し、改良地盤の地下水の強制排水に伴う改良地盤周辺部の地盤内の地下水の低下を抑えることができ、軟弱地盤の改良に伴う改良地盤周辺部の地盤沈下を効果的に抑制できるとの効果を奏するようになる。【００１８】
この改良工法にあっては、止水材が鉛直供給路から鉛直排水路へ至る水流に乗って拡散するので、スムーズかつ確実に止水ゾーンが形成され、軟弱地盤の改良に伴う改良地盤周辺部の地盤の沈下抑制効果を早期に期待できる。
【発明を実施するための最良の形態】
【００１９】
以下、本発明の改良工法を、図面に示した一実施の形態に従って、更に詳しく説明する。請求項１〜１４に記載の改良工法について説明する。この改良工法は、軟弱地盤に真空圧を利用して改良地盤周辺部と隔離された減圧領域を造り出し、前記軟弱地盤中の間隙水を排水することで、前記軟弱地盤を硬質地盤へと改良するものである。【００２０】
改良地盤中に真空圧を利用して改良地盤周辺部と隔離された減圧領域を造り出す方法としては特に限定されない。例えば本発明者が提案している特許第３２７０９６８号掲載公報や特開２００３−５５９５１号公報に記載されている改良工法が、従来のサンドマットを用いた従来工法に比べて、より効率的に真空圧を改良地盤中に負荷することができ、より効果的な改良が実現できるという点で好ましい。【００２１】
特許第３２７０９６８号掲載公報に記載の改良工法は、改良地盤上面を気密シートで被覆して前記改良地盤中に真空圧を負荷することで、前記改良地盤中に改良地盤周辺部と隔離された減圧領域を造り出す方法であり、図１に示すように、改良地盤Ａ中に上端部を残して所定の間隔をおいて鉛直ドレーン材１１を打設することにより、地盤Ａ中に鉛直排水壁を造成する工程と、真空ポンプＰに連結された水平ドレーン１２を鉛直ドレーン上端部１１ａと接触するように水平状に配置する工程と、地盤Ａ上を鉛直ドレーン材上端部１１ａおよび水平ドレーン材１２とともに気密シート１３で覆う工程と、水平ドレーン１２と集水管１４及び真空タンク（図示しない）を介して繋がる真空ポンプ１５を稼働させて地盤Ａ上面に真空圧の状態を造り出す工程とからなるものである。【００２２】
また、特開２００３−５５９５１号公報に示すように、地盤改良に際して、真空圧を負荷して改良地盤中に減圧領域を造り出すことにより、改良地盤内から吸い出された間隙水を前記真空圧の伝播経路とは別の排水経路を通じて排出するようにしてもよい。【００２３】
具体的には、図１に示すように、改良地盤Ａ中に所定の間隔をおいて設置した各鉛直ドレーン材１１に水平ドレーン材１２を介して繋がる集水管１４下側の改良地盤Ａ内に改良地盤Ａ外へと通じる排水タンク１６を配置して、前記集水管１４に集水された間隙水を前記排水タンク１６へと排水するのである。【００２４】
この場合、図１に示すように、集水管１４と排水タンク１６とは、重力を利用して水と空気とを分離するセパレータ１８を介して接続し、このセパレータ１８によって前記集水管１４内の間隙水を前記排水タンク１６へと導水するようにするのが望ましい。また、排水タンク１６内には排水ポンプ１７を内蔵させ、前記排水タンク１６内の間隙水を改良地盤Ａ外に繋がる排水管１９を通じて改良地盤Ａ外へと強制的に排出することにより、より効率的な排水が可能となる。【００２５】
また、図１に示すように、地盤改良に際しては、軟弱地盤Ａ上に盛土２０を施して盛土荷重を負荷することもできる。盛土２０は気密シート１３上に施す。これにより、該盛土２０の圧密載荷重によって改良地盤Ａの圧密脱水がより効率よく行われ、圧力差による吸い出しと共働して、改良地盤Ａの圧密沈下が促進されることになる。【００２６】
本発明は、上述した改良工法において、改良地盤及び又は改良地盤周辺部の地盤（以下、周辺地盤という）内に鉛直供給路を造成し、この鉛直供給路内に止水材を含む水を投入し、この鉛直供給路を通して改良地盤及び又は周辺地盤内に止水材を含む水を供給することに特徴づけられている。【００２７】
上記の如く、改良地盤Ａの圧密脱水が行われ、圧力差による間隙水の吸い出しと共働して改良地盤Ａの圧密沈下が促進されると、図２に示すように改良地盤Ａと周辺地盤Ｂとに跨って透水性の高い砂層や有機土層Ｃが存在している場合には、改良地盤Ａ以外の周辺地盤Ｂ内の地下水も強制排水される。このため、軟弱な周辺地盤Ｂもその影響により沈下等が誘発される虞がある。【００２８】
このような事態を回避するため、本発明の改良工法にあっては、改良地盤及び又は周辺地盤内に鉛直供給路を造成し、この鉛直供給路内に止水材を含む水を投入するようにしているのである。【００２９】
具体的には図１〜図３に示すように、改良地盤Ａを取り囲むように周辺地盤Ｂ内に所定間隔に多数の鉛直ドレーン材１０１を打設して鉛直供給路を造成する。この場合、鉛直供給路は、改良地盤Ａから少し離して造成するのが望ましい。具体的には改良地盤Ａから１〜２ｍ程度離して造成するとよい。【００３０】
図５は、改良地盤Ａ内であって周辺地盤Ｂとの境界部分に所定間隔に多数の鉛直ドレーン材１０１を打設して鉛直供給路を造成した形態を示すものである。【００３１】
尚、鉛直供給路は、改良地盤Ａ又は周辺地盤Ｂの種類によっては、必ずしも周辺地盤Ｂ内であって改良地盤Ａを取り囲むように所定間隔に造成したり、改良地盤Ａ内であって周辺地盤Ｂとの境界部分に所定間隔に造成したりする必要はなく、改良地盤Ａ又は周辺地盤Ｂ内であって当該周辺地盤Ｂの地下水が地盤改良に伴って強制排水される恐れがある部分に集中的に造成すればよい。【００３２】
尚、図１〜図３又は図５は、改良地盤Ａ又は周辺地盤Ｂ内に鉛直供給路を造成した例を示したが、改良地盤Ａ及び周辺地盤Ｂの種類、透水性の高い砂層や有機土層Ｃの規模や形状に応じて、改良地盤Ａ内と周辺地盤Ｂ内とに鉛直供給路を造成することも可能である。【００３３】
使用する鉛直ドレーン材１０１としては、改良地盤Ａ又は周辺地盤Ｂの深さ方向に止水材を含む水を供給する経路を形成できるものであれば何でもよく、具体的には長尺なプラスチックネットを芯材とし、このネットの表裏に不織布、フェルト、織物、編物などの繊維シートからなるフィルター層を設けたものを挙げることができる。この場合、鉛直ドレーン材１０１のフィルター層は、止水材１０２が透過可能な目合いの繊維シートにより構成されているのが望ましい。【００３４】
尚、鉛直供給路は、鉛直ドレーン材１０１の打設以外に、改良地盤Ａ又は周辺地盤Ｂ内に止水材１０２が透過可能な多数の孔を有するパイプ（有孔管）を深さ方向に配管する方法により造成することもできる。【００３５】
改良地盤Ａ及び又は周辺地盤Ｂの鉛直供給路（鉛直ドレーン１０１または孔あきパイプ）内に投入する止水材１０２を含む水としては、例えばＣＭＣまたはアルギン酸ナトリウムを主成分とする塩類などの多糖類塩からなる親水性ゲルの懸濁液という形態を採ることができる。【００３６】
このような形態の止水材を含む水を鉛直供給路１０１内に投入する場合には、例えば図４に示すように、止水材を含む水（親水性ゲル懸濁液）を貯留する止水材タンク１０８から供給パイプ１０９を介して鉛直供給路１０１内に前記止水材を含む水を供給するようにしても良い。【００３７】
この場合、止水材タンク１０８から供給パイプ１０９を介して鉛直供給路１０１内に投入された親水性ゲル懸濁液は、そのまま鉛直供給路１０１内を流下し、その水流の勢いに従って鉛直ドレーン１０１（または孔あきパイプ）を通じて改良地盤Ａと周辺地盤Ｂとに跨って存在する透水性の高い砂層や有機土層Ｃに流出拡散する。【００３８】
透水性の高い砂層や有機土層Ｃ内に流出拡散した懸濁液中の止水材１０２（親水性ゲル）の一部は、図１〜図３に示すように、砂層や有機土層Ｃ内で停滞し、部分的な目詰まり状態を造り出し、通水度が低下していく。【００３９】
止水材１０２（親水性ゲル）を含む水は、部分的に目詰まりした透水性の高い砂層や有機土層Ｃの隙間部分（目詰まりが生じていない部分）に集中し、この隙間部分を速度を速めて通過する。その過程で止水材１０２（親水性ゲル）が隙間部分を閉塞していく。【００４０】
このようにして、透水性の高い砂層や有機土層Ｃにおける隙間部分は、止水材１０２（親水性ゲル）によって次々と閉塞され、やがて図２、図３及び図５に示すような透水性の高い砂層や有機土層Ｃ内に圧力による重ね結合の作用で止水材１０２（親水性ゲル）からなる止水ゾーン１０７を形成する。【００４１】
この止水ゾーン１０７によって改良地盤Ａと周辺地盤Ｂとに跨る透水性の高い砂層や有機土層Ｃからなる地下水の流路は絶たれることになり、地盤改良の強制排水に伴い周辺地盤Ｂの地下水が低下するという事態が回避されるようになる。【００４２】
一方、改良地盤と周辺地盤とに跨って透水性の高い砂層や有機土層Ｃが存在せず、または透水性の高い砂層や有機土層Ｃの上方に中間礫層Ｄが存在している場合、この中間礫層Ｄを止水材１０２を含む水（親水性ゲル懸濁液）が通過しても、止水材１０２は中間礫層Ｄ内で滞留せず、そのまま水流に乗って改良地盤Ａ側へと移動してしまう。【００４３】
改良地盤Ａと周辺地盤Ｂとに跨る中間礫層Ｄ内を水流に従って改良地盤Ａ側へと流れ込んだ止水材１０２（親水性ゲル）は、改良地盤Ａ内に造成された鉛直排水路を構成する鉛直ドレーン１１へと至る。図面に示す形態では、表面が吸水膨張した止水材１０２（親水性ゲル）が透過しない目合いのフィルター層により構成されている鉛直ドレーン材１１を採用し、これを打設することで改良地盤Ａ内に鉛直排水路を造成している。このため、水流に従って鉛直ドレーン１１へと到達した止水材１０２（親水性ゲル）は、鉛直ドレーン１１表面のフィルター層に阻まれて内部に進入することができず、鉛直ドレーン１１表面に圧力によって付着し、鉛直ドレーン１１表面のフィルター層に目詰まりを発生させ、ここに止水ゾーン１０７が形成されることになる。【００４４】
鉛直ドレーン１１表面のフィルター層に形成された止水ゾーン１０７は、改良地盤Ａと周辺地盤Ｂとに跨る中間礫層Ｄ内の地下水の流れを改良地盤Ａ側の鉛直ドレーン材１１で止める役割をするものであり、この止水ゾーン１０７によって、改良地盤Ａと周辺地盤Ｂとに跨る中間礫層Ｄ内の地下水の流路は絶たれることになり、地盤改良の強制排水に伴い周辺地盤Ｂの地下水が低下するという事態が回避されるようになる。【００４５】
尚、止水材１０２が透過しない目合いのフィルター層により構成されている鉛直ドレーン材１１を採用して、鉛直ドレーン１１表面のフィルター層に止水ゾーン１０７を形成する場合、止水材１０２は、改良地盤Ａ内に打設した鉛直ドレーン１１表面のフィルター層であって、中間礫層Ｄに当たる部分にのみ付着し、ここで止水ゾーン１０７を形成するため、鉛直ドレーン１１内部並びに中間礫層Ｄに当たる部分以外の部分については、鉛直ドレーン１１本来の機能が保たれるため、通水不能及びまたは通気不能などの弊害を生じる虞はない。【００４６】
止水材１０２（親水性ゲル）により、止水ゾーン１０７の形成、または部分的な目詰まり状態が造り出されると、水の移動が無くなり、それまで供給されていた止水材を含む水（親水性ゲル懸濁液）は供給過剰となる。【００４７】
このとき、鉛直供給路１０１内に配されたフロート式逆止弁１１０は、止水材を含む水（親水性ゲル懸濁液）の供給過剰に伴う液面上昇に従って上昇し、鉛直供給路１０１の供給口（図示しない）を閉塞し、鉛直供給路１０１内への止水材を含む水の供給を遮断する。止水材を含む水の供給が遮断されると、止水材タンク１０８から供給パイプ１０９を介して鉛直供給路１０１内に投入されていた止水材を含む水（親水性ゲル懸濁液）は、鉛直供給路１０１内に投入されず、そのままリターンパイプ１０９ａを通って止水材タンク１０８に戻されることになる。【００４８】
尚、この形態の場合、止水材（親水性ゲル）の大きさにより、部分的な目詰まり状態の造出、止水ゾーンの形成の度合いは様々に変化することになる。このため、地盤または周辺地盤の種類、地盤改良の規模、地下水量の多少、地盤改良時の圧力の大小などを総合的に判断して、分子量の大小を適宜コントロールし、ゲルの大きさを調整することが望ましい。また、止水材を含む水として親水性ゲル懸濁液を用いる場合、親水性ゲルからなる止水ゾーンは、圧力による重ね結合の作用で形成されるため、圧力差が無くなると、親水性ゲルは浮遊状態に戻るため、
地盤改良後は元の透水性が回復することになり、地下水環境に長期的な影響を及ぼしにくい止水対策としてきわめて有用である。【００４９】
尚、止水材１０２としては、上記親水性ゲルの他、例えば大鋸屑、木粉、籾殻、米・麦・粟(あわ)・稗(ひえ)・豆・黍(きび)などの穀物或いはその粉砕物、前記穀類の外皮（殻類）を取り除く際に生じる糠類や殻類、澱粉、粘土、或いはカルボキシメチルセルロース架橋物、架橋ポリアクリル酸塩、澱粉、粘土、セメント、及び−アクリロニトリルグラフト重合体、ＰＶＡ−マレイン酸共重合体、酢酸ビニル−アクリル酸塩共重合体であって、吸水倍率が３０〜１５００倍の高吸水性ポリマーの中から選ばれる１種若しくは２種以上の混合物なども使用することができる。【００５０】
上記大鋸屑、木粉などの止水材についても、投入に先立って膨潤させておき、懸濁液として、図４に示す装置、方法により鉛直供給路１０１に供給することができる。【００５１】
上記大鋸屑、木粉などの止水材については、投入後に膨潤させることもできる。以下はその説明である。図６は、改良地盤Ａ及び又は周辺地盤Ｂ中に打設した鉛直ドレーン材１０１上端部分周りに礫または粗目砂からなる層１１１を設け、この礫または粗目砂からなる層１１１中に大鋸屑、木粉などの止水材１０２を含む水を投入する形態を示したものである。図６に示す形態では、鉛直ドレーン材１０１上端部分周りに直径１５〜３０ｃｍ、深さ１０〜３０ｃｍ程度のパイプ（有孔又は無孔のいずれでも良い）又は枠１１２を設置し、パイプ又は枠１１２内の土砂を取り除いた上で、砂、礫材で埋め戻し、鉛直ドレーン材１０１上端部分周りに礫または粗目砂からなる層１１１を設けている。礫または粗目砂からなる層１１１中には、複数本の投入パイプ１１３（有孔又は無孔のいずれでも良い）を挿入し、この投入パイプ１１３を通して止水材１０２を含む水を投入するのである。【００５２】
これにより、投入パイプ１１３を通して投入された止水材１０２を含む水が礫または粗目砂からなる層１１１内全体に広がり、一気に止水材１０２を含む水が鉛直ドレーン材１０１内へ投入されることになる。つまり、鉛直ドレーン材１０１上端部分周りに礫または粗目砂からなる層１１１を設けることで、水の吸収部分は鉛直ドレーン材１０１上端部分周りだけでなく、礫または粗目砂からなる層１１１全体が吸水部分となるため、水の鉛直ドレーン材１０１への供水速度は飛躍的に向上することになるのである。【００５３】
尚、図６は、改良地盤Ａ及び又は周辺地盤Ｂ中に打設した鉛直ドレーン材１０１上端部分周りに礫または粗目砂からなる層１１１を設けた例を示したが、改良地盤Ａ及び又は周辺地盤Ｂ中に配管した多数の孔を有するパイプ（有孔管）の上端部分周りに同様に礫または粗目砂からなる層を設けてもよい。【００５４】
改良地盤Ａからの間隙水に止水材を含ませて止水材を含む水とし、この止水材を含む水を上記鉛直供給路内に投入することもできる。この場合、改良地盤Ａ及び又は周辺地盤Ｂ内に造成された鉛直供給路である鉛直ドレーン１０１（またはパイプ）上端部に改良地盤Ａからの間隙水の排水管１９と繋がる溝１１５（または配管）を接続し、この溝１１５（または配管）を通じて改良地盤Ａからの間隙水を鉛直ドレーン１０１（またはパイプ）に給水する。このとき、止水材１０２は、排水管１９を通じて間隙水が排水される溝１１５（または配管）に投入する。【００５５】
また、鉛直供給路内への間隙水の給水は、図１及び図２に示す例では自然給水（排水）となっているが、排水管１９、溝１１５（または配管）内に加圧タンクまたはポンプを配置して、強制的に間隙水を鉛直供給路内へ給水（排水）することもできる。【００５６】
鉛直供給路内に投入された止水材１０２を含む水は、図１〜図３に示すように、鉛直供給路である鉛直ドレーン１０１（または孔あきパイプ）内を流下し、その水流の勢いに従って鉛直ドレーン１０１（または孔あきパイプ）を通じて改良地盤Ａと周辺地盤Ｂとに跨って存在する透水性の高い砂層や有機土層Ｃに流出拡散する。【００５７】
上述の鉛直吸水路を構成する鉛直ドレーン材１０１（または孔あきパイプ）から透水性の高い砂層や有機土層Ｃ内に流出拡散する水の流れに乗って、止水材１０２も鉛直供給路を構成する鉛直ドレーン材１０１（または孔あきパイプ）内を流下し、透水性の高い砂層や有機土層Ｃ内に流出拡散していくことになる。【００５８】
透水性の高い砂層や有機土層Ｃ内に流出拡散した止水材１０２の一部は、砂層や有機土層Ｃ内で停滞し（止水材１０２の種類によってはここで吸水膨張して）、部分的な目詰まり状態を造り出し、通水度が低下していく。【００５９】
止水材１０２を含む水は、部分的に目詰まりした透水性の高い砂層や有機土層Ｃの隙間部分（目詰まりが生じていない部分）に集中し、この隙間部分を速度を速めて通過する。その過程で止水材１０２が隙間部分を閉塞していく。【００６０】
このようにして、透水性の高い砂層や有機土層Ｃにおける隙間部分は、止水材１０２によって次々と閉塞され、やがて図２、図３及び図５に示すような透水性の高い砂層や有機土層Ｃ内に止水材１０２からなる止水ゾーン１０７を形成する。【００６１】
この止水ゾーン１０７によって改良地盤Ａと周辺地盤Ｂとに跨る透水性の高い砂層や有機土層Ｃからなる地下水の流路は絶たれることになり、地盤改良の強制排水に伴い周辺地盤Ｂの地下水が低下するという事態が回避されるようになる。【００６２】
尚、止水材１０２は、微生物を混ぜ込んだ形態を採ることもできる。このような止水材１０２を用いた場合、止水材１０２により止水ゾーン１０７が形成された後、微生物が繁殖し、止水ゾーン１０７を構成する止水材１０２間にコロニーを形成し、当該止水ゾーン１０７の補強がなされることになる。【００６３】
尚、止水材を含む水中には微生物の栄養成分を添加することもできる。この場合、地盤内に形成された止水ゾーン１０７中に多量の栄養成分が含まれ、元々地盤内に存在する土中微生物、或いは止水材１０２に混ぜ込んだ微生物の繁殖性を高めることになり、止水材１０２間のコロニー形成、止水ゾーン１０７の補強に大きく寄与することになる。【００６４】
次に、請求項１５〜３０に記載の改良工法について説明する。尚、この改良工法は、前述した請求項１〜９に記載の改良工法と同じく、軟弱地盤に真空圧を利用して改良地盤周辺部と隔離された減圧領域を造り出し、前記軟弱地盤中の間隙水を排水することで、前記軟弱地盤を硬質地盤へと改良するものであるため、ここでの説明は割愛する。また、止水材の種類、及び止水材の鉛直供給路への投入方法についても、前述した請求項１〜９に記載の改良工法と同じであるため、ここでの説明は割愛する。【００６５】
本発明は、上述した改良工法において、周辺地盤内に鉛直供給路を造成し、この鉛直供給路内に止水材を含む水を投入する一方で、前記鉛直供給路と改良地盤との間及び又は前記鉛直供給路の外側に鉛直排水路を造成し、この鉛直排水路を通して前記改良地盤周辺部の地盤内の水を排水することで特徴づけられている。【００６６】
上述の如く、改良地盤Ａの圧密脱水が行われ、圧力差による間隙水の吸い出しと共働して、改良地盤の圧密沈下が促進されると、改良すべき改良地盤と周辺地盤とに跨って透水性の高い砂層や有機土層が存在している場合には、改良地盤周辺の地盤の地下水も強制排水される。このため、軟弱な周辺地盤もその影響により沈下等が誘発される虞がある。【００６７】
このような事態を回避するため、本発明の改良工法にあっては、周辺地盤中に所定の間隔をおいて鉛直供給路を造成し、この鉛直供給路内に水と共に止水材を投入するようにしている。具体的には図７〜図１２に示すように、改良地盤Ａを取り囲むように、周辺地盤Ｂ内に所定間隔に破線状に多数の鉛直ドレーン材１０１を打設して鉛直供給路を造成する。使用する鉛直ドレーン材１０１としては、周辺地盤Ｂの深さ方向に水及び止水材を供給する経路を形成できるものであれば何でもよく、具体的には長尺なプラスチックネットを芯材とし、このネットの表裏に不織布、フェルト、織物、編物などの繊維シートからなるフィルター層を設けたものを挙げることができる。この場合、鉛直ドレーン材１０１のフィルター層は、止水材１０２が透過可能な目合いの繊維シートにより構成されているのが望ましい。【００６８】
尚、鉛直供給路は、鉛直ドレーン材１０１の打設以外に周辺地盤Ｂ内に止水材が透過可能な多数の孔を有するパイプ（有孔管）を深さ方向に配管したり、周辺地盤Ｂ内に柱状の砂層を設けたりして造成することもできる。【００６９】
尚、鉛直供給路は、周辺地盤Ｂの種類によっては、必ずしも改良地盤Ａを取り囲むように所定間隔に造成する必要はなく、周辺地盤Ｂの地下水が地盤改良に伴って強制排水される恐れがある部分にのみ集中的に造成することもできる。【００７０】
尚、鉛直供給路は、改良地盤Ａから可能な限り離して造成するのが望ましい。具体的には改良地盤Ａから少し離して、例えば１〜２ｍ程度離して造成するとよい。【００７１】
また、上記周辺地盤の鉛直供給路と改良地盤との間、及び又は鉛直供給路の外側に鉛直排水路を造成する。図７及び図８に示す形態では、鉛直排水路は、鉛直供給路（鉛直ドレーン１０１）と改良地盤Ａとの間に所定間隔に破線状に多数の鉛直ドレーン材１０３を打設することで造成している。【００７２】
使用する鉛直ドレーン材１０３は、周辺地盤Ｂの深さ方向に排水経路を形成できるものであれば何でもよく、具体的には長尺なプラスチックネットを芯材とし、このネットの表裏に不織布、フェルト、織物、編物などの繊維シートからなるフィルター層を設けたものを挙げることができる。この場合、鉛直ドレーン材１０３のフィルター層は、止水材１０２が透過不能若しくは困難な目合いの繊維シートにより構成されているのが望ましい。尚、鉛直排水路は、鉛直ドレーン材１０３の打設以外に周辺地盤Ｂ内に止水材が透過不能な無孔管若しくは透過困難な多数の孔を有するパイプ（有孔管）を深さ方向に配管したり、周辺地盤Ｂ内に柱状の砂層を設けたりして造成することもできる。【００７３】
また、鉛直排水路を構成する鉛直ドレーン材１０３上端には真空ポンプ１０５に繋がる水平ドレーン材１０４が接続されており、その上面は、気密シート１０６で覆われている。【００７４】
そして、図９及び図１０に示すように、鉛直供給路を構成する鉛直ドレーン１０１内に止水材１０２を含む水を投入すると共に真空ポンプ１０５を稼働させることにより、水は、図９及び図１０中矢印で示すように、鉛直供給路である鉛直ドレーン１０１内を流下した後、周辺地盤Ｂの中間層や下部層に存在する透水性の高い砂層や有機土層Ｃを流れ、さらに、鉛直供給路（鉛直ドレーン１０１）と改良地盤Ａとの間に造成された鉛直排水路を構成する鉛直ドレーン材１０３を通って地盤外へと排水される。【００７５】
止水材１０２は、上述の鉛直吸水路を構成する鉛直ドレーン材１０１から透水性の高い砂層や有機土層Ｃ及び鉛直排水路を構成する鉛直ドレーン材１０３を経て地盤Ｂ外へと至る水の流れに乗って、鉛直供給路を構成する鉛直ドレーン材１０１を流下し、透水性の高い砂層や有機土層Ｃ内を拡散し、鉛直排水路を構成する鉛直ドレーン材１０３へと至る。【００７６】
水中に含まれる止水材１０２の一部は、透水性の高い砂層や有機土層Ｃ内で停滞し、透水性の高い砂層や有機土層Ｃ内に部分的な目詰まり状態を造り出し、通水度が低下していく。止水材１０２を含む水は、部分的に目詰まりした透水性の高い砂層や有機土層Ｃの隙間部分（目詰まりが生じていない部分）に集中し、この隙間部分を速度を速めて通過する。その過程で止水材１０２が隙間部分を閉塞していく。【００７７】
このようにして、透水性の高い砂層や有機土層Ｃにおける隙間部分は、止水材１０２によって次々と閉塞され、やがて図１１及び図１２に示すような透水性の高い砂層や有機土層Ｃ内に止水材１０２からなる止水ゾーン１０７が形成される。【００７８】
この止水ゾーン１０７によって改良地盤Ａと周辺地盤Ｂとに跨る透水性の高い砂層や有機土層Ｃからなる地下水の流路は絶たれることになり、地盤改良の強制排水に伴い周辺地盤Ｂの地下水が低下するという事態が回避されるようになる。【００７９】
一方、改良地盤と周辺地盤とに跨って透水性の高い砂層や有機土層Ｃが存在せず、または透水性の高い砂層や有機土層Ｃの上方に中間礫層Ｄが存在している場合、この中間礫層Ｄを止水材１０２を含む水が通過しても、止水材１０２は中間礫層Ｄ内で滞留せず、そのまま水流に乗って鉛直排水路を構成する鉛直ドレーン材１０３へと移動してしまう。【００８０】
中間礫層Ｄ内を水流に従って中間礫層Ｄ内を移動した止水材１０２は、鉛直ドレーン材１０３表面の止水材１０２が透過不能または困難な目合いのフィルター層に阻まれて鉛直ドレーン材１０３内部に進入することができず、鉛直ドレーン１１表面に付着し、鉛直ドレーン１１表面のフィルター層に目詰まりを発生させ、ここに止水ゾーン１０７が形成されることになる。【００８１】
鉛直ドレーン１０３表面のフィルター層に形成された止水ゾーン１０７は、改良地盤Ａと周辺地盤Ｂとに跨る中間礫層Ｄ内の地下水の流れを周辺地盤Ｂ側の鉛直ドレーン材１０３で止める役割をするものであり、この止水ゾーン１０７によって、改良地盤Ａと周辺地盤Ｂとに跨る中間礫層Ｄ内の地下水の流路は絶たれることになり、地盤改良の強制排水に伴い周辺地盤Ｂの地下水が低下するという事態が回避されるようになる。【００８２】
図１３及び図１４に示す形態は、周辺地盤Ｂの鉛直供給路（鉛直ドレーン１０１）と改良地盤Ａとの間と、鉛直供給路（鉛直ドレーン１０１）の外側とに所定間隔に破線状に多数の鉛直ドレーン材１０３ａ、１０３ｂを打設することで鉛直排水路を造成したものである。鉛直ドレーン材１０３ａ、１０３ｂ上端部分には真空ポンプ１０５ａ、１０５ｂに繋がる水平ドレーン１０４ａ、１０４ｂが接続され、これら鉛直ドレーン材１０３ａ、１０３ｂ上端部分及び真空ポンプ１０５ａ、１０５ｂに繋がる水平ドレーン１０４ａ、１０４ｂの上面は、気密シート１０６で覆われている。【００８３】
そして、鉛直供給路を構成する鉛直ドレーン１０１内に止水材１０２を含む水を投入すると共に鉛直ドレーン材１０３ａ、１０３ｂ上端部分に接続された水平ドレーン１０４ａ、１０４ｂに繋がる真空ポンプ１０５ａ、１０５ｂを稼働させることにより、水は、図１３中矢印で示すように、鉛直供給路である鉛直ドレーン１０１内を流下した後、周辺地盤Ｂの中間層や下部層に存在する透水性の高い砂層や有機土層Ｃを通って、鉛直供給路（鉛直ドレーン１０１）と改良地盤Ａとの間に造成された鉛直排水路を構成する鉛直ドレーン材１０３ａの方向と、鉛直供給路（鉛直ドレーン１０１）の外側に造成された鉛直排水路を構成する鉛直ドレーン材１０３ｂの方向とへと流れ、それぞれ鉛直排水路を構成する鉛直ドレーン材１０３ａ、１０３ｂを経て地盤Ｂ外へと排水される。【００８４】
水中に含まれる止水材１０２は、上述の鉛直吸水路を構成する鉛直ドレーン材１０１から透水性の高い砂層や有機土層Ｃ及び鉛直排水路を構成する鉛直ドレーン材１０３ａ、１０３ｂを経て地盤Ｂ外へと至る水の流れに乗って、鉛直供給路を構成する鉛直ドレーン材１０１を流下し、透水性の高い砂層や有機土層Ｃ内を拡散し、鉛直排水路を構成する鉛直ドレーン材１０３ａ、１０３ｂへと至る。【００８５】
止水材１０２の一部は、透水性の高い砂層や有機土層Ｃ内で停滞し、透水性の高い砂層や有機土層Ｃ内に部分的な目詰まり状態を造り出し、通水度が低下していく。止水材１０２を含む水は、部分的に目詰まりした透水性の高い砂層や有機土層Ｃの隙間部分に集中し、この隙間部分を速度を速めて通過する。その過程で止水材１０２が隙間部分を閉塞していく。【００８６】
このようにして、透水性の高い砂層や有機土層Ｃにおける隙間部分は、止水材１０２によって次々と閉塞され、やがて図１４に示すような透水性の高い砂層や有機土層Ｃ内に吸水膨張した止水材１０２からなる止水ゾーン１０７ａ、１０７ｂを形成する。【００８７】
この形態の場合、止水ゾーン１０７ａ、１０７ｂが改良地盤Ａと周辺地盤Ｂとに跨る透水性の高い砂層や有機土層Ｃ内に幅広く形成されるため、当該砂層や有機土層Ｃを流れる地下水の流路はより確実に絶たれることになる。【００８８】
図１５及び図１６は、鉛直供給路の外側に鉛直排水路を造成する形態を示すものである。図１５及び図１６に示す形態では、鉛直排水路は、鉛直供給路（鉛直ドレーン１０１）の外側に所定間隔に破線状に多数の鉛直ドレーン材１０３を打設することで造成している。【００８９】
使用する鉛直ドレーン材１０３は、周辺地盤Ｂの深さ方向に排水経路を形成できるものであれば何でもよく、具体的には長尺なプラスチックネットを芯材とし、このネットの表裏に不織布、フェルト、織物、編物などの繊維シートからなるフィルター層を設けたものを挙げることができる。この場合、鉛直ドレーン材１０３のフィルター層は、止水材１０２が透過不能若しくは困難な目合いの繊維シートにより構成されているのが望ましい。尚、鉛直排水路は、鉛直ドレーン材１０３の打設以外に周辺地盤Ｂ内に止水材が透過不能な無孔管若しくは透過困難な多数の孔を有するパイプ（有孔管）を深さ方向に配管したり、周辺地盤Ｂ内に柱状の砂層を設けたりして造成することもできる。【００９０】
また、鉛直排水路を構成する鉛直ドレーン材１０３上端には真空ポンプ１０５に繋がる水平ドレーン材１０４が接続されており、その上面は、気密シート１０６で覆われている。【００９１】
そして、図１５及び図１６に示すように、鉛直供給路を構成する鉛直ドレーン１０１内に止水材１０２を含む水を投入すると共に真空ポンプ１０５を稼働させることにより、水は、図１５中矢印で示すように、鉛直供給路である鉛直ドレーン１０１内を流下した後、周辺地盤Ｂの中間層や下部層に存在する透水性の高い砂層や有機土層Ｃを流れ、さらに、改良地盤Ａ内に造成された鉛直排水路を構成する鉛直ドレーン１１、並びに鉛直供給路（鉛直ドレーン１０１）の外側に造成された鉛直排水路を構成する鉛直ドレーン材１０３を通って地盤外へと排水される。【００９２】
水中に含まれる止水材１０２は、上述の鉛直吸水路を構成する鉛直ドレーン材１０１から透水性の高い砂層や有機土層Ｃ、改良地盤Ａ内に造成された鉛直排水路を構成する鉛直ドレーン１１、並びに鉛直排水路を構成する鉛直ドレーン材１０３を経て、改良地盤Ａ外及び周辺地盤Ｂ外へと至る水の流れに乗って、鉛直供給路を構成する鉛直ドレーン材１０１を流下し、透水性の高い砂層や有機土層Ｃ内を拡散し、鉛直排水路を構成する鉛直ドレーン材１１、１０３へと至る。【００９３】
止水材１０２の一部は、透水性の高い砂層や有機土層Ｃ内で停滞し、透水性の高い砂層や有機土層Ｃ内に部分的な目詰まり状態を造り出し、通水度が低下していく。止水材１０２を含む水は、部分的に目詰まりした透水性の高い砂層や有機土層Ｃの隙間部分（目詰まりが生じていない部分）に集中し、この隙間部分を速度を速めて通過する。その過程で止水材１０２が隙間部分を閉塞していく。【００９４】
このようにして、透水性の高い砂層や有機土層Ｃにおける隙間部分は、止水材１０２によって次々と閉塞され、やがて図１６に示すような透水性の高い砂層や有機土層Ｃ内に止水材１０２からなる止水ゾーン１０７を形成する。【００９５】
この止水ゾーン１０７によって改良地盤Ａと周辺地盤Ｂとに跨る透水性の高い砂層や有機土層Ｃからなる地下水の流路は絶たれることになり、地盤改良の強制排水に伴い周辺地盤Ｂの地下水が低下するという事態が回避されるようになる。【００９６】
一方、改良地盤と周辺地盤とに跨って透水性の高い砂層や有機土層Ｃが存在せず、または透水性の高い砂層や有機土層Ｃの上方に中間礫層Ｄが存在している場合、この中間礫層Ｄを止水材１０２を含む水が通過しても、止水材１０２は中間礫層Ｄ内で滞留せず、そのまま水流に乗って改良地盤Ａ中の鉛直排水路を構成する鉛直ドレーン材１１並びに周辺地盤Ｂ中の鉛直排水路を構成する鉛直ドレーン材１０３へと移動してしまう。【００９７】
中間礫層Ｄ内を水流に従って中間礫層Ｄ内を移動した止水材１０２は、鉛直排水路を構成する鉛直ドレーン材１１、１０３表面の止水材１０２が透過不能または困難な目合いのフィルター層に阻まれて鉛直ドレーン材１１、１０３内部に進入することができず、鉛直ドレーン１１、１０３表面に付着し、鉛直ドレーン１１表面のフィルター層に目詰まりを発生させ、ここに止水ゾーン１０７が形成されることになる。【００９８】
鉛直ドレーン１０３表面のフィルター層に形成された止水ゾーン１０７は、改良地盤Ａと周辺地盤Ｂとに跨る中間礫層Ｄ内の地下水の流れを改良地盤Ａ側の鉛直ドレーン１１並びに周辺地盤Ｂ側の鉛直ドレーン材１０３で止める役割をするものであり、この止水ゾーン１０７によって、改良地盤Ａと周辺地盤Ｂとに跨る中間礫層Ｄ内の地下水の流路は絶たれることになり、地盤改良の強制排水に伴い周辺地盤Ｂの地下水が低下するという事態が回避されるようになる。【００９９】
尚、上記実施の形態に示した例は、単なる説明例に過ぎず、例えば改良地盤周辺部Ｂの地盤の種類により、鉛直排水路の造成ラインを改良地盤周辺部Ｂの周りに二重、三重に設けるなど、特許請求の範囲の欄に記載された範囲内で自由に変更することができる。
【図面の簡単な説明】
【０１００】
【図１】本発明の改良工法の適用例を示した断面模式図。
【図２】鉛直供給路を示した断面模式図。
【図３】同じく鉛直供給路を示した平面模式図。
【図４】止水材を含む水の投入系を示す模式図。
【図５】改良地盤及び又は周辺地盤中に打設した鉛直ドレーン材上端部分周りに砂層を設けた例を示す要部拡大斜視図。
【図６】鉛直供給路の別例を示した断面模式図。
【図７】本発明の改良工法の適用例を示した断面模式図。
【図８】同じく図７の平面模式図。
【図９】鉛直ドレーン内に水と共に止水材を投入すると共に真空ポンプを稼働させることにより作られ水と止水材の流れを示した断面模式図。
【図１０】同じく図９の平面模式図。
【図１１】本発明の改良工法により改良地盤と周辺地盤との間に形成された止水ゾーンを示した断面模式図。
【図１２】同じく図１１の平面模式図。
【図１３】本発明の改良工法の別の適用例を示したものであり、鉛直ドレーン内に水と共に止水材を投入すると共に真空ポンプを稼働させることにより作られ水と止水材の流れを示した断面模式図。
【図１４】図１３に示す改良工法により周辺地盤内に形成された止水ゾーンを示した断面模式図。
【図１５】本発明の改良工法のさらに別の適用例を示したものであり、鉛直ドレーン内に水と共に止水材を投入すると共に真空ポンプを稼働させることにより作られ水と止水材の流れを示した断面模式図。
【図１６】図１５に示す改良工法により周辺地盤内に形成された止水ゾーンを示した断面模式図。
【図１７】従来の改良工法の適用例を示した模式図。
【符号の説明】
【０１０１】
１１、１０１、１０３、１０３ａ、１０３ｂ  ・・・鉛直ドレーン材
１２、１０４、１０４ａ、１０４ｂ  ・・・水平ドレーン材
１３、１０６、１０６ａ、１０６ｂ  ・・・気密シート
１５、１０５、１０５ａ、１０５ｂ  ・・・真空ポンプ
１０２・・・止水材
１０７、１０７ａ、１０７ｂ・・・止水ゾーン
１０８・・・止水タンク
１０９・・・供給パイプ
１０９ａ・・・リターンパイプ
１１０・・・フロート逆止弁
１１１・・・礫または粗目砂からなる層
１１２・・・枠
１１３・・・投入パイプ
１１５・・・溝
Ａ  ・・・改良地盤
Ｂ  ・・・周辺地盤
Ｃ  ・・・透水性の高い砂層や有機土層
Ｄ  ・・・中間礫層
【図１】
2005113901.tif 000002
【図２】
2005113901.tif 000003
【図３】
2005113901.tif 000004
【図４】
2005113901.tif 000005
【図５】
2005113901.tif 000006
【図６】
2005113901.tif 000007
【図７】
2005113901.tif 000008
【図８】
2005113901.tif 000009
【図９】
2005113901.tif 000010
【図１０】
2005113901.tif 000011
【図１１】
2005113901.tif 000012
【図１２】
2005113901.tif 000013
【図１３】
2005113901.tif 000014
【図１４】
2005113901.tif 000015
【図１５】
2005113901.tif 000016
【図１６】
2005113901.tif 000017
【図１７】
2005113901.tif 000018
【国際調査報告】
2005113901.tif 000019
2005113901.tif 000020